(57)【要約】      （修正有）【課題】洗車時に使用される純水または脱イオン水を生成するための小型のイオン交換器の保持具を提供する。【解決手段】イオン交換器１は、容器本体１１と蓋１２とを備える。容器本体１１は、側面１３と底面１４とを備え、その内部にイオン交換樹脂がセットされる。蓋１２は容器本体１１の開口を覆う被覆部１５と、被覆部１５の周囲に位置し容器本体１１に螺合される螺合側部１６とを備える。保持具２は、イオン交換器１の蓋１２に固定される固定部２１と、固定部２１に取付けられた取手部２２と、固定部２１に連結し蓋１２の被覆部１５の外側へと延びる連結部と、連結部から屈曲し容器本体の側面１３に沿って延びる一対の脚部２４とを備える。【選択図】図２
0003202036.tif 000002
【実用新案登録請求の範囲】
【請求項１】
容器本体および蓋を備えるイオン交換器を保持する保持具であって、
前記蓋に固定される固定部と、
前記固定部に取付けられた取手部と、
前記固定部に連結し前記蓋の外側へと延びる連結部と、
前記連結部から前記容器本体側へと延びる一対の脚部とを備え、
前記脚部は、前記容器本体から離間することを特徴とする保持具。
【考案の詳細な説明】
【技術分野】
【０００１】
この考案は、イオン交換器の保持具に関し、より詳細には、洗車時に使用される純水または脱イオン水を生成するためのイオン交換器の保持具に関する。
【背景技術】
【０００２】
従来、洗車する際には水道水を使用するのが一般的であったが、水道水がボディ表面で乾燥すると、ウォータースポットという痕跡が残ってしまう。そこで、水道水の代わりに純水または脱イオン水で洗車して、ウォータースポットの発生を予防していた。純水または脱イオン水を用いた洗車では、イオン交換樹脂を内蔵したイオン交換器を使用することができる。イオン交換器には、ホースを介して水道水が供給され、イオン交換樹脂を介して、脱イオン水を得ることができる。このようなイオン交換器は、略円柱状であるため、固定しておかないと倒れたり、転がったりして危険である（特許文献１参照）。そこで、イオン交換器は、保管および使用の際、専用の保持具によって保持するようにしていた。
【先行技術文献】
【特許文献】
【０００３】
【特許文献１】実願平６−０３９１９４号公報
【考案の概要】
【考案が解決しようとする課題】
【０００４】
しかしながら、従来の保持具は、イオン交換器を載せる載置台と、載置台から延びるとともにイオン交換器を固定する壁と、壁に取付けられた取手とを備えるようにしていたので、大型になっていた。載置台には車輪を付けて、移動可能にしていたが、洗車時等に収納していたイオン交換器を使用する際には、保持具ごと移動しなければならないから、大型の保持具は取回しが悪いという問題点もあった。
【０００５】
この考案では、小型のイオン交換器の保持具を提供することを課題とする。
【課題を解決するための手段】
【０００６】
この考案は、容器本体および蓋を備えるイオン交換器を保持する保持具であって、前記蓋に固定される固定部と、前記固定部に取付けられた取手部と、前記固定部に連結し前記蓋の外側へと延びる連結部と、前記連結部から前記容器本体側へと延びる一対の脚部とを備え、前記脚部は、前記容器本体から離間することを特徴とする保持具。
【考案の効果】
【０００７】
この考案の保持具によれば、イオン交換器の蓋から容器本体側へと延びる脚部を設けたので、イオン交換器を倒しておいたときに脚部によって移動が規制される。したがって、使用時にイオン交換器が転がるのを防止することができる。また、不使用時にはイオン交換器を立てて脚部を棒などに引っ掛けることによってこれが倒れるのを予防することができる。イオン交換器を載せるための載置台や、固定するための壁を設けなくてもよいので、その分、保持具全体の小型化を図ることができる。
【図面の簡単な説明】
【０００８】
【図１】この考案の保持具の一例を示す斜視図。
【図２】イオン交換器に保持具を取付けたときの図。
【図３】図２のＩＩＩ−ＩＩＩ線断面図であって、イオン交換器を横にして置いた状態を示す図。
【考案を実施するための形態】
【０００９】
図１〜３を参照すれば、イオン交換器１は、容器本体１１と蓋１２とを備える。容器本体１１は、側面１３と底面１４とを備え、その内部にイオン交換樹脂がセットされる。蓋１２は容器本体１１の開口を覆う被覆部１５と、被覆部１５の周囲に位置し容器本体１１に螺合される螺合側部１６とを備える。被覆部１５にはイオン交換樹脂に水道水を供給するための供給口１７と、イオン交換樹脂を通過したイオン交換水が吐出される吐出口１８とを備える。供給口１７にはホース３１が連結され、水道水が供給される。吐出口１８には図示しないシャワーヘッドが取り付けられたホース３２が連結され、イオン交換水がシャワーヘッドから供給される。
【００１０】
保持具２は、イオン交換器１の蓋１２に固定される固定部２１と、固定部２１に取付けられた取手部２２と、固定部２１に連結し蓋１２の被覆部１５の外側へと延びる連結部２３と、連結部２３から屈曲し容器本体の側面１３に沿って延びる一対の脚部２４とを備える。この実施形態において、固定部２１、連結部２３および脚部２４は、一枚の板状部材によって構成されるとともに、固定部２１と連結部２３は同一面上に連続しており、脚部２４は板状部材を屈曲して形成される。
【００１１】
固定部２１は、蓋１２にネジ４１で固定される。市販されているイオン交換器１の蓋１２には予めネジ穴が形成されていることが多く、このネジ穴を利用して固定部２１を固定することができる。ネジ穴が形成されていない場合には、別途これを形成する必要がある。固定部２１には、取手部２２が取り付けられる。取手部２２は、固定部２１から離間した把持部２２Ａと、把持部２２Ａの両端と固定部２１とを連結する両端部２２Ｂとを備える。
【００１２】
この実施形態において、連結部２３は、幅方向Ｘにおいて離間して一対設けられる。連結部２３の幅方向Ｘにおける寸法は、固定部２１の幅方向Ｘにおける寸法よりも大きく、固定部２１から連結部２３に向かって傾斜して広がる。一対の脚部２４は、幅方向へ互いに離間する。また、脚部２４は、イオン交換器１の蓋１２の螺合側部１６または容器本体の側面１３から離間する。連結部２３と脚部２４とのなす角度は、９０度以下であることが望ましい。より詳細には、イオン交換器１を倒して置いたときに、脚部２４が面で地面に接触するとともに、底面１４も接地するような角度にすることが望ましい。
【００１３】
上記のような構成において、不使用時はイオン交換器１を立てて保管することによって収納場所を節約することができる。イオン交換器１を立てたとき、脚部２４を壁などに取付けたバー等に引っ掛けることによって転倒を予防することができる。イオン交換器１の使用時には、イオン交換器１を倒し、脚部２４を地面に設置させることによって、イオン交換器１が転がるのを予防することができる。イオン交換器１は全体的に略円筒状を有しているので転がりやすいが、脚部２４を設けることによって転がるのを防止することができる。また、イオン交換器１を倒して置いたときに、脚部２４と底面１４とが接地するようにすることができる。したがって、イオン交換器１は、一対の脚部２４と底面１４との三点で支持され、より一層転がりにくく、その状態を安定させることができる。さらに、脚部２４が面で地面に接触するので、より安定してイオン交換器１を支持することができる。
【００１４】
保持具２には取手部２２を備えているから、これを持ってイオン交換器１の脚部２４をバー等に引っ掛けたり、倒したりすることができる。保持具２全体が小型化され軽量であるので、容易に持ち運びが可能であり、かつ取回しもしやすい。
【００１５】
イオン交換器１のイオン交換樹脂を交換する際には、容器本体１１と蓋１２とを分離し、容器本体１１内部に収納されたイオン交換樹脂を取り出す。より具体的には、イオン交換器１を立てて容器本体１１に対して蓋１２を回転させてこれらを分離する。従来の保持具においては、イオン交換器の蓋を保持具に固定するようになっていたため、蓋に対して容器本体を回転させなければならなかった。使用後の容器本体には供給された水が残っており、重量が増している。このような重い容器本体を回転させるのは困難であったし、容器本体が固定されていないから蓋から分離された容器本体が落ちたり倒れたりして怪我をするという危険があった。しかし、この実施形態では、容器本体１１を地面に設置させた状態で蓋１２を外すことができるので、従来のような危険を回避することができる。なお、蓋１２を外すときには、蓋１２に連結されたホース３１およびホース３２を取り外してから作業することによって、これらホースが邪魔にならないようにすることができる。
【００１６】
また、容器本体１１と蓋１２とは水密に位置するために強固に螺合されることが多い。したがって容器本体１１を回転させることが困難な場合もあるが、そのような場合には、取手部２２の把持部２２Ａと固定部２１との間に棒を挿入し、棒を回動させることによって、てこの原理で容易に強固に螺合された容器本体１１と蓋１２との結合を緩めることができる。緩んだ容器本体１１と蓋１２において、その後は容易に蓋１２を回転させて、蓋１２と容器本体１１とを分離させることができる。
【００１７】
保持具２には、イオン交換器１内のイオン濃度を測定する測定器を取付けることもできる。測定器を取り付けることによってイオン交換樹脂の交換時期を知ることができる。測定器としては、例えば、総溶解物質（ＴＤＳ）メーターを使用することができ、測定器は少なくともイオン濃度を検出するセンサと、検出されたイオン濃度を表示する表示部とを備える。測定器の表示部は、例えば、固定部２１から屈曲して設けられた取付板２６に取付け、センサは蓋１２を介してイオン交換器１内へと挿入することができる。このとき、センサと表示部とをつなぐコードを取付板２６に設けられた開口部２７から保持具２の内側へと配置することができ、コードを保護し、かつコードによって保持具２の外観が損なわれるのを予防することができる。
【００１８】
この実施形態において、一対の脚部２４はブリッジ部２５によって連結されている。ブリッジ部２５によって、脚部２４の強度を補強することができるが、必須の構成ではなく、これがないものであってもよい。固定部２１、連結部２３、脚部２４、取付板２６は、金属製の一枚の板状部材を用いて構成される。しかし、これに限られるものではなく、それぞれ別部材を連結して構成してもよい。また、保持具２の材料は金属製の他、樹脂製等でもよく、この分野で用いられる通常の材料を使用することができる。
【符号の説明】
【００１９】
１    イオン交換器
２    保持具
１１    容器本体
１２    蓋
１３    側面
２１    固定部
２２    取手部
２３    連結部
２４    脚部
【図１】
0003202036.tif 000003
【図２】
0003202036.tif 000004
【図３】
0003202036.tif 000005